(57)【特許請求の範囲】
【請求項１】
システムコントローラの動作クロックを低速モードと高速モードとに切換える切換手段と、
記録媒体の本体への装着状態を判別する第１の判別手段と、
操作手段の操作に応じた制御が電力負荷の重い操作か、該電力負荷の重い操作を停止する停止操作かを記憶する記憶手段と、
上記操作手段の操作に応じて上記高速モードから上記低速モードに上記切換手段を切換える際に、上記記憶手段に記憶されている操作が上記電力負荷の重い操作か上記停止操作かを上記記憶手段を参照して判別する第２の判別手段と、
上記第１の判別手段の判別結果と上記第２の判別手段の判別結果に基づいて上記高速モードから低速モードへの切換遷移時間を可変に制御する制御手段とを備えてなる記録再生装置。
【請求項２】
前記切換遷移時間は、上記記憶手段に記憶されている操作が上記停止操作であるとき、第１の時間であり、上記電力負荷の重い操作であるとき、該第１の時間よりも長い第２の時間である請求項１に記載の記録再生装置。
【発明の詳細な説明】
【０００１】
【発明の属する技術分野】
この発明は、記録再生装置の省電力技術に関する。
【０００２】
【従来の技術】
ＤＡＴ（Ｄｉｇｉｔａｌ  Ａｕｄｉｏ  Ｔａｐｅ  Ｒｅｃｏｒｄｅｒ）その他の記録再生装置、特に電池を電源とする記録再生装置において、装置の機能が一定期間使用されないとき、電池の消耗を避けるため装置のメカニカルな機構を制御するメカニカルコントローラをオフにするとともに、このメカニカルコントローラを含む装置全体を制御するシステムコントローラの動作クロックを通常モードから低速モードに切換えることが行われている。たとえば、ポータブルＤＡＴにおいて、停止キーが押された後、一定時間なんらの操作がされないと、システムコントローラは、メカニカルコントローラをオフにし、自己のシステム・クロックを通常モード時の４．１９ＭＨｚから低速モードの３２ｋＨｚに切換え、電池の消費を低減させるようになっている。装置は、この低速モードでは時計表示を１秒に１回変える程度の働き以外をしない、いわば眠った状態にあるので、このモードはスリープモードと呼ばれる。スリープモードにあるときに装置のなんらかのキーが押されると、これに応答して装置は、通常モードに切り換わる。
【０００３】
この一定時間は、あまり長い時間に設定すると省電力の効果が損なわれ、あまり短く設定すると装置の使用を継続しようとしているにもかかわらず装置が頻繁にスリープモードに入ることになる。この場合、操作キーを押すと装置がスリープモードから通常モードに切り換わるが、切換に若干の時間を要するため、ユーザにとって装置の反応が悪いものになる。したがって、省電力の要請とユーザにとっての装置の使い勝手の要請とのバランスをとって、この一定時間をほどほどの時間に設定することが行われている。
【０００４】
【発明が解決しようとする課題】
このような従来の装置では、キーの操作が一定時間ないことに応答してスリープモードに移行するものであるため、記録媒体が装置に装着されていないなど、速やかにスリープモードに入ってもよい状態であっても一定時間の経過を待ってスリープモードに切り換えられるから、この間無意味に電池が消費されることになる。たとえば、ＤＡＴを書物などと一緒にカバンに入れて持ち運びする時、録音または再生を停止し記録媒体を未装着にしてカバンに入れると、装置がスリープモードに入った後、カバンの揺れなどが原因で本の角が装置のキーに当たると装置が通常モードに戻り、一定時間の間通常モードにとどまり、この一定時間の経過とともに再びスリープモードに入る。再度、本の角がキーに当たると、同じ動作が繰り返される。こうして何度も通常モードに入るため、合計では相当時間通常モードで動作することになり電池が無駄に消費されることになる。
【０００５】
また、従来の装置ではスリープモードに移行するための一定時間は、スリープモードに入るトリガとなるキーの種別とは関係なく一つの値に設定されているため、たとえば録音中でも再生中でもなく、ＤＡＴのメカニカルな機構が使用されていない状態で時計の表示キーが操作されただけの場合のように、キー操作終了後速やかにスリープモードに入ってもよい状態でも、他の状態の時と同じ一定時間を待ってスリープモードに切り換えられるため、省電力の効果は限られたものであった。
【０００６】
したがって、この発明は、記録再生装置の省電力効果を向上させることを目的とする。
【０００７】
【課題を解決するための手段】
この発明の課題は、システムコントローラの動作クロックを低速モードと高速モードとに切換える切換手段と、記録媒体の本体への装着状態を判別する第１の判別手段と、操作手段の操作に応じた制御が電力負荷の重い操作か、該電力負荷の重い操作を停止する停止操作かを記憶する記憶手段と、操作手段の操作に応じて高速モードから低速モードに切換手段を切換える際に、記憶手段に記憶されている操作が電力負荷の重い操作か停止操作かを記憶手段を参照して判別する第２の判別手段と、第１の判別手段の判別結果と第２の判別手段の判別結果に基づいて高速モードから低速モードへの切換遷移時間を可変に制御する制御手段とを備えてなる記録再生装置によって解決される。
【０００８】
【発明の実施の形態】
１．ＤＡＴ
以下にこの発明の実施形態をＤＡＴ（Ｄｉｇｉｔａｌ  Ａｕｄｉｏ  Ｔａｐｅ  ｐｌａｙｅｒ及びＲｅｃｏｒｄｅｒ）を例に説明する。図１に示すようにＤＡＴは、テープレコーダ本体１に回動可能に取付けられたカセットホルダー２を備え、このカセットホルダー２にテープカセット３を挿入することによってテープカセット３がテープレコーダ本体１に装着される。本体１には、液晶表示部３０が設けられていて、カレンダを表示し、また再生中は、カレンダに加えてプログラムナンバを表示する。
【０００９】
本体１には、巻き戻しキー１５、停止キー１３、再生キー１１、早送りキー１４、記録（録音）キー１２などの操作キーが設けられている。また、側面にはスライド式のホールドキー１６が設けられている。ホールドキー１６をホールド位置にスライドさせると、装置は、スリープモードに保持される。
【００１０】
説明の便宜上、表示部３０、各種操作キーおよびカセット装着取り出し用のカバーが本体１の同じ表面にあるものとして示したが、これらは製品の操作性および美観面からの設計によってどのように配置してもよい。カセットの装着取り出し口を本体の裏面に設け、各種の操作キーを主表面に大きく配置することができる。本体１には、図示したもののほか、音量調節キーないしつまみ、カレンダの設定キー、カセットカバーを開けるイジェクトキーなどが設けられ、録音用のマイクロホン、再生用のスピーカ、ライン入力用の端子、ライン出力用の端子も備えられている。
【００１１】
図１および図２を参照すると、テープカセット３が装着されると、テープレコーダ本体１内に設けたテープローディング機構が作動を開始し、磁気テープ６を回転磁気ヘッドを備えるヘッドシリンダ７に沿った所定のテープ走行路にローディングする。磁気テープ６は、図２に示すように、キャプスタン８及びピンチローラ９によって駆動される。ヘッドシリンダ７およびキャプスタン８は、シリンダモータＭ１およびキャプスタンモータＭ２によってそれぞれ駆動される。
【００１２】
マイクロホン（図示せず）またはライン入力からのオーディオ信号は、アナログブロック２１に入力されて増幅され、Ａ／Ｄ、Ｄ／Ａブロック２２のＡ／Ｄコンバータ２２ａで標本化、量子化されてディジタル化され、信号処理ブロック２３に入る。信号処理ブロック２３は、このディジタル信号にインタリーブ部２３ａでインタリーブを施し、符号生成部２３ｂで誤り訂正符号を付加し、８ー１０変換部２３ｃで８ー１０変換を行う。このように処理されたディジタル信号が電磁変換ブロック２４の記録アンプ２４ａでヘッド駆動電流に変換され、録再切替スイッチ２４ｂを介して磁気テープ６に記録される。
【００１３】
再生操作の時は、磁気デープ６からのオーディオ信号が、電磁変換ブロック２４の録再切替スイッチ２４ｂを介して再生アンプ２４ｃへ送られて増幅され、等価整形部２４ｄで波形等化により整形されてデータ抽出が行われる。このデータが、信号処理ブロック２３に送られ、ここでは記録時と逆の動作が行われる。すなわち、データは、１０ー８変換部２３ｆで１０ー８変換され、誤り訂正部２３ｅで誤り訂正が施された後、デインタリーブ部２３ｄでインターリーブが解除される。こうして得られたディジタルデータがＤ／Ａコンバータ２２ｂに送られ、アナログ再生出力に変換され、増幅されてスピーカ（図示せず）を鳴らす。
【００１４】
システムコントローラ２５は、ＤＡＴの操作モードを選択するキー入力部１０に設けられるプレイ操作キー１１、記録操作キー１２、ストップ操作キー１３、早送り操作キー１４、巻戻し操作キー１５、その他の各操作キーからの操作信号を受け取り、メカニカルコントローラ２６に操作モードに応じた制御信号を送る。図３ではキー入力部１０として限られたキーだけを示しているが、上述したように音量調節キー、カレンダ設定キーなど他の多くの操作キーもキー入力部１０に含まれる。メカニカルコントローラ２６は、システムコントローラ２５と通信しながらサーボブロック２７を制御する。すなわち、メカニカルコントローラ２６は、装置のメカニカルな機構を制御する。
【００１５】
再生時のトラッキングサーボは、ＡＴＦ（Ａｕｔｏｍａｔｉｃ  Ｔｒａｃｋ  Ｆｉｎｄｉｎｇ）方式が用いられ、ＡＴＦ部２７ａによって制御される。磁気テープ６にはＡＴＦエリアが設けられていて、ヘッドシリンダ７の再生ヘッドがＡＴＦエリアを通過するとき、再生ヘッドとトレースすべきトラック（ホームトラック）との誤差が検出される。簡単に述べると、ホームトラック上のＡＴＦエリアに記録されている第１周波数の信号（同期信号）を基準に、隣接トラックの第２周波数の信号（パイロット信号）をサンプルホールドし、ヘッドとホームトラックとの相対位置を検出し、差を０にするよう制御する。このＡＴＦ信号に基づいてサーボブロック２７のキャプスタンドライブ２７ｂは、キャプスタンモータＭ２の回転を制御する。ヘッドシリンダ７を回転させるシリンダモータＭ１は、サーボブロック２７のシリンダドライブ２７ｃによって駆動される。
【００１６】
２．モード切換
図３は、この発明が適用されるＤＡＴの構成を示すものである。図３において、システムコントローラ２５は、この装置全体を制御するものであり、各装置の制御を司るコントロール部６１と、発振源を切り換えるスイッチング回路６３と、発振源を切り換える際の条件を判別する判別回路６４と、キー入力に応じて記録、再生、早送り、巻戻し、および停止のメカニカルな機構の駆動に関連するモードを一時的に記憶するレジスタ６９とを備える。
【００１７】
コントロール部６１は、発振源を切り換えるタイミングを設定するタイマ６２を備え、スイッチング回路６３、判別回路６４、時刻や制御情報などを表示する液晶表示部３０、信号処理ブロック２３およびメカニカルコントローラ２６などからなる制御対象システム７０に接続されている。
【００１８】
スイッチング回路６３は、クロック周波数の異なる第１発振源６７および第２発振源６８と接続されており、コントロール部６１からの信号に応じて、それら第１または第２発振源６７、６８のいずれかを選択的にコントロール部６１に接続する。第１発振源６７は、システムコントローラ２５のコントロール部６１を通常モードで動作させるクロックを発生し、そのクロック周波数は４．１９ＭＨｚである。第２発振源６８は、システムコントローラ２５のコントロール部６１を低速モード、すなわちスリープモードで動作させるクロックを発生し、そのクロック周波数は３２ｋＨｚである。
【００１９】
判別回路６４は、ユーザが操作要求を入力するためのキー入力部１０、ユーザが入力したメカニカルな機構の駆動に関連する操作要求のモードを記憶するためのレジスタ６９、および記録媒体であるテープカセットの装着を検出するカセット検出部６６に接続されている。カセット検出部６６は、図４に示されるように、ＤＡＴのカセットホルダ２に設けられた、検出スイッチ３６を備えている。検出スイッチ３６の検出凸部３８、３９が、テープカセット３の検出凹部３１、３２に接触し、テープカセット３を検出する。
【００２０】
キー入力部１０からのキーの入力は、３つのタイプに分類され、第１のタイプのキー入力は、テープの再生、記録、早送り、および巻戻しなどのメカニカルな機構の駆動を伴う電力負荷の重い、即ち、高負荷のキー入力である。第２のタイプのキー入力は、この電力負荷の重い操作を停止させる停止キーである。、第３のタイプのキー入力は、ボリュームの調整、カウンタのリセット、時刻表示など、メカニカルな機構の駆動を伴わない電力負荷の軽い、即ち、低負荷のキー入力である。
【００２１】
判別回路６４は、キー入力部１０からキー入力信号を受け取り、高負荷のキー入力であったときに、このキー入力に応じたモードをレジスタ６９に記憶する。判別回路６４は、高負荷のキー入力および停止キー入力のときは、レジスタ６９にそのキー入力に応じたコードを書込み、操作モードを設定する。時刻設定などのための低負荷のキー入力のときは、レジスタ６９へのコードの書込みは行わない。したがって、レジスタ６９には最後に入力された高負荷キーのコードが保持され、次に高負荷キーの入力があるとその高負荷キーのコードで書き換えられる。レジスタ６９は、システムコントローラ２５に付随するメモリの記憶領域であってもよい。
【００２２】
次に、２つの発振源６７、６８の切換について説明する。今、コントロール部６１は、第１発振源６７に接続されていて、通常モードで動作しているものとする。以下に示す表１は、通常モードからスリープモードへ移行するまでの時間とＤＡＴの状態の関係を表している。
【００２３】
【表１】
0003562689.tif 000002
【００２４】
表１の上段部について説明する。表１の上段部は、記録媒体であるテープカセット３がＤＡＴに装着されていない状態であり、カセット検出部６６の、検出信号はローである。この状態では、判別回路６４は、レジスタ６９に記憶されている駆動モードが何であるかに拘わらず、キー入力部１０からの入力があると、キー入力の種類に関係なくタイマ６２を第１の設定時間、例えば３０秒にセットする。これは、テープカセット３が装着されていなければ、再生キーなどが押されても、実際には再生などが行われないので、スリープモードに切り換わるまで長い時間待機する必要が無く、むしろ短い時間でスリープモードに切り換えるためである。３０秒間新たに何のキー入力もなければ、コントロール部６１は、タイマ６２からの３０秒経過を示す信号に応答して、スイッチング回路６３を第１発振源６７から第２発振源６８に切り換え、システムを通常モードからスリープモードへ切り換える。したがって、ＤＡＴがスリープモードにあるとき時刻設定のキーを操作すると、ＤＡＴは通常モードに戻るが、３０秒間経つと再びスリープモードに戻る。
【００２５】
表１の下段部について説明する。表１の下段部は、記録媒体であるテープカセット３がＤＡＴに装着されている状態であり、カセット検出部６６の、検出信号はハイである。判別回路６４は、キー入力部１０からのキー入力信号を受け取り、キー入力信号が停止キーである場合、停止モードをコントロール部６１に指示すると共に、レジスタ６９に記憶されているモードを読出す。レジスタ６９に記憶されているモードが、再生、記録などのメカニカルな駆動に関連する駆動モードである場合には、判別回路６４は、コントロール部６１にタイマ６２を第１の設定時間より長い第２の設定時間、例えば３分にセットする信号を送る。これと同時に、判別回路６４は、停止キーに対応するコードをレジスタ６９に書込む。コントロール部６１は、この信号に応じてタイマ６２を、３分にセットする。３分間新たに何のキー入力も無ければ、コントロール部６１は、タイマ６２からの３分経過を示す信号に応答して、スイッチング回路６３を第１発振源６７から第２発振源６８に切り換え、システムを通常モードからスリープモードへ切り換える。
【００２６】
判別回路６４は、キー入力部１０からキー入力信号を受取り、そのキー入力信号が、メカニカルな機構の駆動に関連しない音量調節などの低負荷のキーであるとき、このキー入力信号に応じて、レジスタ６９に記憶されているモードを読出す。レジスタ６９に記憶されているモードが停止モードである場合には、判別回路６４は、コントロール部６１にタイマ６２を第１の設定時間にセットする信号を送る。コントロール部６１は、この信号に応じてタイマ６２を、第１の設定時間、例えば、３０秒にセットする。３０秒間新たに何のキー入力も無ければ、コントロール部６１は、タイマ６２からの３０秒経過を示す信号に応答して、スイッチング回路６３を第１発振源６７から第２発振源６８に切り換え、システムを通常モードからスリープモードへ切り換える。レジスタ６９に記憶されているモードが停止モードでないとき、即ち、記録や再生などの駆動モードであるときは、判別回路６４は、スリープモードへの移行時間を設定する信号を出さない。
【００２７】
記録媒体であるテープカセット３がＤＡＴに装着されており、カセット検出部６６の検出信号がハイであるとき、高負荷のキー入力があると、判別回路６４は、レジスタ６９へ駆動モードを設定し、そのキー入力信号をコントロール部６１へ送出する。コントロール部６１は、そのキー入力信号に応じて駆動信号を制御対象システム７０に送り、制御対象システム７０は、駆動信号を受取り、それに応じたテープカセット３の駆動操作を行う。この様に、テープカセット３がＤＡＴに装着されており、再生などのメカニカルな機構を駆動させるキー入力のときには、通常モードからスリープモードへの切換は行われない。
【００２８】
スリープモードから通常モードへの切り換えは、キー入力部１０から何らかのキー入力があると、その入力されたキーに応じた処理を行うため、コントロール部６１は、入力信号に応答して、スイッチング回路６３を第２発振源６８から第１発振源６７に切り換え、システムをスリープモードから通常モードへ切り換える。
【００２９】
図５は、通常モードからスリープモードへの切換処理を示すフローチャートである。最初は、通常モードに設定されており、第１発振源６７がスイッチング回路６３を介してコントロール部６１に接続されている。
【００３０】
何らかのキーが押され、キー入力部１０からキー入力信号が判別回路６４へ送出されると（５０１）、判別回路６４は、カセット検出部６６の検出信号により、テープカセット３がＤＡＴに装着されているか否かを判断する（５０２）。テープカセット３がＤＡＴに装着されていると、判別回路６４は、入力キーが、停止キーかどうかを判断する（５０４）。入力キーが、停止キーであるとき、判別回路６４は、レジスタ６９に記憶されているモードを読出し、そのモードが駆動モードかどうかを判断する（５０５）。駆動モードであれば、判別回路６４は、停止キーの入力信号に応じて、レジスタ６９を停止モードに設定し（５０６）、コントロール部６１に第２のタイマ設定信号を送る。コントロール部６１は、第２のタイマ設定信号に応じてタイマ６２を、第２の設定時間、例えば３分にセットする（５０７）。３分間新たに何のキー入力も無ければ（５０８、５０９）、コントロール部６１は、スイッチング回路６３を第１発振源６７から第２発振源６８に切り換え、システムを通常モードからスリープモードへ切り換える（５１０）。
【００３１】
ステップ５０２において、テープカセット３がＤＡＴに装着されていない場合は、判別回路６４は、コントロール部６１に第１のタイマ設定信号を送る。コントロール部６１は、第１のタイマ設定信号に応じてタイマ６２を、第１の設定時間、例えば３０秒にセットする（５１２）。３０秒間新たに何のキー入力も無ければ（５０８、５０９）、システムを通常モードからスリープモードへ切り換える（５１０）。
【００３２】
ステップ５０４において、入力キーが停止キー以外のキーであるときは、上述したように入力キーに応じた操作が行われる（５１３）。
【００３３】
以上、ＤＡＴを例に説明したが、本発明は、ミニディスク（ＭＤ）プレーヤ、コンパクトディスク（ＣＤ）プレーヤ、カセットテープレコーダなどにも適用することができる。
【００３４】
また、スリープモードへの切換時間を３０秒と３分とを使用して説明したが、これは、任意に決めることができ、例えば、３０秒を２０秒や４０秒などとしてもよく、３分を２分３０秒や４分などとしてもよい。また、切換時間の設定も２段階設定ではなく、入力キーに応じて３段階以上に設定することもできる。
【００３５】
【発明の効果】
この発明によると、入力された制御信号や記録再生装置の状態によって、スリープ・モードへの切換時間を多段階に設定できるので、記録再生装置の省電力効果を向上させることができる。
【図面の簡単な説明】
【図１】この発明が適用できるＤＡＴの一例の概略斜視図である。
【図２】この発明が適用できるＤＡＴの一例の構成を示すブロック図である。
【図３】この発明が適用されたＤＡＴの一例の構成を示すブロック図である。
【図４】この発明が適用されたＤＡＴのテープ検出部の一例を示す概略図である。
【図５】この発明の発振源の切換の処理を示すフローチャートである。
【符号の説明】
１０  キー入力部              ２５  システムコントローラ
３０  液晶表示部              ６１  コントロール部
６２  タイマ                  ６３  スイッチング回路
６４  判別回路                ６６  カセット検出回路
６７  第１発振源              ６８  第２発振源
６９  レジスタ                ７０  制御対象システム
【図１】
0003562689.tif 000003
【図２】
0003562689.tif 000004
【図３】
0003562689.tif 000005
【図４】
0003562689.tif 000006
【図５】
0003562689.tif 000007